(57)【要約】【課題】  複数の自動機内の取引履歴ファイルから特定の条件に当てはまる取引履歴を一括して検索する。【解決手段】  カード読み取り機と表示装置と紙幣取扱い機構と明細票印字機構を備え、ホストコンピュータと接続することで、利用者の指定した口座から現金を入出金する自動機において、監視サーバーが複数の自動機に取引履歴ファイルの検索条件式を送信し、検索条件式を受信した自動機が、条件式に一致する取引履歴ファイルを検索し、一致した取引履歴をサーバーに送付し、サーバーは複数の自動機から受信した取引履歴を一覧表示する。【選択図】  図１
2005215910.tif 000002
【特許請求の範囲】
【請求項１】
カード読み取り機と表示装置と紙幣取扱い機構と明細票印字機構を備え、ホストコンピュータと接続することで、利用者の指定した口座から現金を入出金する自動機において、監視サーバーが複数の自動機に取引履歴ファイルの検索条件式を送信し、検索条件式を受信した自動機が、条件式に一致する取引履歴ファイルを検索し、一致した取引履歴をサーバーに送付し、サーバーは複数の自動機から受信した取引履歴を一覧表示することを特徴とする複数金融自動機内の取引履歴を一括検索する方法。
【請求項２】
サーバーが検索プログラムを自動機に送付し、自動機が検索プログラムが特定のサーバーから送付されたプログラムであることを確認した後、検索プログラムを実行し、検索プログラムは予め定められたファイルに検索結果を格納し、自動機は検索結果をサーバーに送付することを特徴とする請求項第１項記載の複数金融自動機内の取引履歴を一括検索する方法。
【発明の詳細な説明】
【技術分野】
【０００１】
本発明は、金融自動機に関する。複数の自動機と監視サーバーがネットワークで接続された構成で、自動機内に保存されている取引履歴から特定な条件に一致する取引履歴を一括で検索する必要のあるシステムに最適な一括検索方法である。
【背景技術】
【０００２】
特開2002-245257号公報（自動機器の監視システム及び監視方法）に見られるように、自動機に予め取引履歴の検索条件と通知先を設定しておくと、取引履歴の検索結果を監視装置にレポートする公知例が存在した。
【０００３】
また、特開2002-183214号公報（Webページによる情報提供システムおよびWebブラウザプログラムを記録した記録媒体）に見られるように、クライアントからサーバーにクライアントプログラムのダウンロードを要求し、受信したプログラムをクライアントで実行する公知例が存在した。
【０００４】
【特許文献１】特開2002-245257号公報
【特許文献２】特開2002-183214号公報
【発明の開示】
【発明が解決しようとする課題】
【０００５】
特開2002-245257号公報に記載の技術は、検索条件を予め自動機に設定しておく必要があり、検索条件を変更するためには、1台1台の自動機に再び検索条件を設定する必用があった。
【０００６】
特開2002-183214号公報に記載の技術は、クライアント側からクライアントプログラムのダウンロードを要求し、受信したプログラムをクライアント側で実行する方式であったので、サーバー主導で各自動機内の情報を検索する目的には利用できなかった。
【０００７】
本発明は検索条件あるいは検索プログラムを監視サーバーから複数の自動機に同時に配布することで、検索条件の変更を容易にするとともに、複数の自動機の検索結果を一覧できるようにした。
【課題を解決するための手段】
【０００８】
監視サーバーで検索条件を設定し、設定した検索条件をネットワークに接続された自動機に一斉配布する。検索条件を受信した自動機は、自動機内の取引履歴ファイルから検索条件に一致する取引履歴を検索し、一致した取引履歴を監視サーバーに報告する。監視サーバーは受信した取引履歴を一覧で表示する。
【０００９】
あるいは監視サーバーは取引履歴を検索するプログラムを複数の自動機に一斉配布する。プログラムを受信した自動機は、検索プログラムを実行し、結果を監視サーバーに報告する。監視サーバーは受信した取引履歴を一覧で表示する。
【発明の効果】
【００１０】
従来は、自動機毎に検索条件を設定しなければならなかったが、本発明によってわざわざ自動機毎に検索条件を設定しなくても、監視サーバーからの簡単な操作で、ネットワークに接続された全ての自動機に対して検索を実行でき結果を一覧で確認できる。
【発明を実施するための最良の形態】
【００１１】
以下、本発明の第１の実施例を図１のシステム構成図と、図３に示すフローチャートと、図４に示す取引履歴ファイルを使って説明する。
【００１２】
図1は本発明のシステム構成図を示す。監視サーバー（１００）から、ネットワークに接続された自動機（１０１、１０３、１０５）に対して、検索条件をダウンロードする。自動機は検索条件を受信すると、それぞれの自動機内で保存している取引履歴ファイル（１０２、１０４、１０６）から、検索条件に一致する取引履歴を検索し、検索した結果を監視サーバーに送信する。
【００１３】
図２は本発明のハードウェア構成図を示す。２００は本発明のプログラムを実行するＣＰＵ、２０１は本発明を実現するプログラムを一時的に記憶する主記憶装置、２０２はカード内の情報を読み取るためのカード読取装置、２０３は本発明のプログラムを記憶する外部記憶装置、２０４は画面を表示する表示装置、２０５は明細票を印字する明細票印字機構、２０６は紙幣を出金したり入金したりする紙幣取扱機構、２０７はＪＮＬに印字するＪＮＬ印字機構である。外部記憶装置に取引履歴ファイルを格納する。
【００１４】
図４は本発明で用いる取引履歴ファイルである。４００は取引通番、４０１は日時、４０２は取引種別、４０３は取引金額、４０４は口座番号、４０５はエラーコードを記憶する。
【００１５】
自動機（１０１）は検索条件を監視サーバーから受信すると（３００）、受信した検索条件に一致する取引履歴を取引履歴ファイル（１０２）から検索する（３０２）。例えば、エラーコード＝7677549という検索条件を受信すると、取引通番０００５の取引履歴を検索する。次に検索した取引履歴を送信ファイルに保存する（１０２）。全ての取引履歴を検索すると（３０１）、送信ファイルに保存した取引履歴を監視サーバーに送信する（３０４）。
【００１６】
次に第２の実施例を図５のフローチャートを用いて説明する。自動機（１０１）は検索プログラムを監視サーバーから受信するとともに（５００）、暗号化したサーバーＩＤを受信する（５０１）、予め受信した公開キーと自動機に個々に設定された秘密キーを元に受信したサーバーＩＤを複合化し（５０２）、複合化したサーバーＩＤが正しいか否かチェックする（５０３）。サーバーＩＤが正しければ、検索プログラムを実行する（５０４）。検索プログラムは、図３のフローチャートと同様な送信ファイルに検索結果を保存する。自動機は検索プログラムの実行後、送信ファイルを監視サーバーに送信する（５０５）。
【図面の簡単な説明】
【００１７】
【図１】本発明の第１の実施例のシステム構成図。
【図２】本発明のハードウェア構成図。
【図３】本発明の第１の実施例のフローチャート。
【図４】本発明の第１の実施例の取引履歴ファイル。
【図５】本発明の第２の実施例のフローチャート。
【符号の説明】
【００１８】
１００…監視サーバー、１０１…自動機Ａ、１０２…自動機Ａの取引履歴ファイル、１０３…自動機Ｂ、１０４…自動機Ｂの取引履歴ファイル、１０５…自動機Ｃ、１０６…自動機Ｃの取引履歴ファイル。
【図１】
2005215910.tif 000003
【図２】
2005215910.tif 000004
【図３】
2005215910.tif 000005
【図４】
2005215910.tif 000006
【図５】
2005215910.tif 000007